(57)【要約】【課題】水スートブロワノズルからの水噴霧開始時にノズルからの水のたれによりバーナへ直接水がかかることなく安価な水スートブロワ装置とその運用方法を提供すること。【解決手段】スートブロワ起動（水噴霧）初期の圧力とスートブロワ用の母配管２内の水の移動エネルギー不足から水スートブロワノズル６からの水のたれ落ちが発生しないように、スートブロワ起動（水噴霧）初期には空気又は蒸気供給配管２０ａ，２０ｂから空気又は蒸気を母配管２に供給して、水スートブロワノズル６から噴出される水を噴霧化する。噴霧化された水は、火炉内の熱で蒸発し、水スートブロワノズル６が対向した火炉水壁（側壁）及びバーナに到達することなく蒸発するため、燃焼特性など影響は出ない。また、スートブロワ起動（水噴霧）初期にはスートブロワ水の噴霧化ができるので、スートブロワ水の昇圧・流れ確保時間に余裕ができる。【選択図】図１
2006183914.tif 000002
【特許請求の範囲】
【請求項１】
水を火炉の壁面に吹き付けて火炉の壁面に付着した灰を落とす水噴射式スートブロワ装置において、
水タンクと、
該水タンクに接続した母配管と、
該母配管の先端部に接続され、火炉内に水を噴出する複数の水スートブロワノズルと、
該各水スートブロワノズルに水タンクの水を昇圧して供給する昇圧ポンプと、
前記各水スートブロワノズルの近傍の母配管に接続して該母配管内の水に空気又は蒸気を供給して各水スートブロワノズルから水と空気又は水と蒸気の混合物を噴出するための空気又は蒸気の供給配管と
を備えたことを特徴とする水噴射式スートブロワ装置。
【請求項２】
昇圧ポンプは、クラッチを介して動力源に接続したことを特徴とする請求項１記載の水噴射式スートブロワ装置。
【請求項３】
昇圧ポンプ接続部と水スートブロワノズル接続部との間の母配管に水スートブロワ元圧制御弁と母配管からの水を一時的に蓄えるアキュムレータと、
母配管とアキュムレータとの間に設けた母配管からアキュムレータへ水を供給する供給配管と、
アキュムレータから母配管へ水を戻す戻し配管と、
前記供給配管と戻し配管にそれぞれ設けた供給逆止弁と戻し逆止弁と
を備えたことを特徴とする請求項１又は２記載の水噴射式スートブロワ装置。
【請求項４】
請求項１ないし３のいずれかに記載のスートブロワ装置を、水スートブロワ起動時において水の噴流速度が充分確立されるまでの間、水を粉砕状態にして、水スートブロワノズルが対向する火炉の壁面に直接噴霧水が到達しないように水スートブロワノズルからの噴出水と共に空気又は蒸気を噴出させることを特徴とする水噴射式スートブロワ装置の運用方法。
【請求項５】
昇圧ポンプは、クラッチの入・切により、その起動と停止を行うことを特徴とする請求項４記載の水噴射式スートブロワ装置の運用方法。
【請求項６】
アキュムレータへの水供給系統を設け、水スートブロワ元圧制御弁の圧力設定を水スートブロワ起動時に高めに設定し、アキュムレータへの水供給とアキュムレータから母配管への水の戻り量の調節によりスートブロワノズル近傍までの水の流れを確保することを特徴とする請求項４又は５記載の水噴射式スートブロワ装置の運用方法。
【発明の詳細な説明】
【技術分野】
【０００１】
本発明は、事業用ボイラなど比較的大容量の石炭焚きボイラにおいて、火炉に灰が付着しやすく、その灰を除去する目的で水スートブロワを設置する物において採用可能な水噴射式スートブロワ装置とその運用方法に関する。
【背景技術】
【０００２】
図２に従来技術による水噴射式スートブロワシステムの全体構成を示す。  
水タンク１内の水は母配管２に設けられた送水ポンプ３と昇圧ポンプ４ａ，４ｂによって昇圧され、母配管２から分岐した水噴射式スートブロワ（以下、水スートブロワということがある）以外の設備へ連絡管５から送られるが、主要部は昇圧ポンプ４ａ，４ｂにより昇圧されて、母配管２の先端に設けられた水スートブロワノズル６ａ，６ｂから噴霧される。
【０００３】
水スートブロワノズル６ａ，６ｂからの水噴霧はボイラ条件にもよるが、６００から１０００ＭＷクラスの大型ベンソンボイラの場合には８〜１０分に一度、３０秒程度行うことが必要であり、水噴霧の度に昇圧ポンプ４ａ，４ｂを起動させる。
【０００４】
昇圧ポンプ４ａ，４ｂは連絡管５への分岐部と水スートブロワノズル６との間の母配管２に約２００ｋＷ程度の電源容量で２台（１台は予備）並列配置されるが、ポンプ４ａ，４ｂの頻繁な起動は、ポンプ用のモータ９ａ，９ｂの起動回数が制限される（通常このクラスでは１時間に一回以下程度）ため及びポンプ起動時の昇圧遅れのためできない。
【０００５】
すなわち、常に送水ポンプ３を運転状態に維持し、且つ昇圧ポンプ４ａ，４ｂの昇温保護のために最低流量を母配管２に流し続け、さらに母配管２内の水の戻し先は放熱を充分確保するために水タンク１でなければならなかった。このことは、運転コスト（動力）の上昇と、非常に長い戻り配管３０が必要であることを示している。
【０００６】
複数の水スートブロワノズル６（６ａ，６ｂ）の直前には各ノズル６ａ，６ｂからの水噴出制御用の水スートブロワ弁１９ａ，１９ｂがそれぞれ設けられているが、水スートブロワ装置を動作させる前には、母配管２内の水を取り出して各水スートブロワ弁１９ａ，１９ｂの設置部の近傍の母配管２に設置された水循環戻り配管３１の戻り弁３２を開け、水スートブロワノズル６の近傍の母配管２の水循環戻り流を作り、戻り配管３０と水循環戻り配管３１の間にある母配管２に設けられた水スートブロワ元圧制御弁１１により水スートブロワノズル６から噴出される水の元圧を圧力検出器２２で検出し、所定値に保つ必要がある。
【０００７】
また、アキュムレータ１５は、この水スートブロワ系の圧力の安定化とともに、水スートブロワ動作時の圧力低下を防止するために設置する。さらに水スートブロワの戻り弁３２が設置された水循環戻り配管３１の母配管２への接続部が各水スートブロワノズル６ａ，６ｂに最も近いところに設定される理由も、水スートブロワ作動時の水の元圧低下防止にある。
【０００８】
図３にボイラ火炉の四つの側壁（水壁）面を展開して示し、その対向する側壁Ｂ、Ｄにそれぞれ設けられた代表的な対抗燃焼方式のバーナ３５と各側壁Ａ〜Ｄに設けられる水スートブロワノズル６の配置位置を示す。缶左側壁Ａに設置される水スートブロワノズル６は対向する缶右側壁Ｃの壁面に付着した灰を落とすために利用される。このように各側壁Ａ〜Ｄに設置された水スートブロワノズル６は、各水スートブロワノズル６が設置された側壁に対向する側壁に向けて水を噴出する。
【０００９】
水スートブロワは、周知のように水スートブロワノズル６から対向する側壁に吹き付けられた水が灰に当ることにより、機械的に灰が粉砕されて側壁から剥離し、また水の瞬間的な蒸発により灰が側壁から吹き飛ばされることで壁面に付着した灰を除くことである。
【００１０】
しかし、一部分の火炉の側壁（水壁）の伝熱面に集中的に水が当ることは、水壁の熱衝撃につながるため、水の噴霧場所は常に移動させながら行われる。また水壁に付着した灰を過剰に除去することは水が直接水壁に当たりやすいことを意味しており、むやみにスートブロワの回数を増やすことは逆に問題を起こす可能性がある。  
そのためにスートブロワの実施に当っては、実施するエリアを細かく分割し、且つそのブローのインターバルを守ることが必要になる。
【００１１】
この特性は水噴射式のスートブロワの連続運用はできないことを意味しており、特に火炉の側壁の中で、缶前側壁Ｄと後側壁Ｂに設置されているバーナ３５に直接ブロー水が当らないようにスートブロワを行う必要があることを意味している。
【００１２】
上記のスートブロワ開始時の水スートブロワノズル６の近傍の水流確保と水流の元圧低下防止対策は、バーナゾーン近傍の区画をスートブロワするときに図４の実線Ｔに示すように、対向する火炉の側壁（水壁）Ｂに設けられた水スートブロワノズル６から噴出した水が本来火炉の対向側壁Ｄに当たるべきであるにも拘わらず、元圧が不足して点線Ｔ’に示すように側壁Ｄのバーナ３５に直接当ることにより、重大な不具合（バーナ変形・割れなどによる燃焼不良・失火など）が起こることを防ぐためにとられている系統構成と運用である。上記対策は特にスートブロワ起動時にスートブロワ用に水圧が十分高くなってないときに注意深く行う必要がある。
【００１３】
一方、上記図２に示すスートブロワ系統の水循環戻り配管３１は水スートブロワ元圧制御弁１１の追従遅れを吸収するために水スートブロワ系統の停止時の水逃がし操作にも使用される。
【００１４】
なお、高圧水と圧縮空気を混合させて混合二相噴流として噴出させて、除去しにくい堅固な付着物でも除去できるスートブロワが下記特許文献１などで知られている。  また、水スートブロワ装置については下記特許文献２などで知られている。
【特許文献１】特開２０００−１８５５５号公報
【特許文献２】米国特許第４，５０３，８１１号明細書
【発明の開示】
【発明が解決しようとする課題】
【００１５】
ボイラ水壁の特定部位に水スートブロワを実施する場合に、その部位の下部にバーナ３５が設置されているような場合は、水スートブロワの起動（水噴霧）初期の圧力とスートブロワ用の母配管２内の水の移動エネルギー不足により、水スートブロワノズル６から水のたれ落ちが発生することは避けられない。このたれ落ちを防止するには、スートブロワ用の母配管２内の水圧を上げること、水スートブロワノズル６の近傍までの水の流れを確保することが重要であり、これを怠るとバーナ３５に直接水がかかることなる。
【００１６】
本発明の課題は、水スートブロワノズルからの水噴霧開始時にノズルからの水のたれによりバーナへ直接水がかかることなく安価な水スートブロワ装置とその運用方法を提供することにある。
【課題を解決するための手段】
【００１７】
本発明の上記課題は、次の解決手段で解決される。  
請求項１記載の発明は、水を火炉の壁面に吹き付けて火炉の壁面に付着した灰を落とす水噴射式スートブロワ装置において、水タンクと、該水タンクに接続した母配管と、該母配管の先端部に接続され、火炉内に水を噴出する複数の水スートブロワノズルと、該各水スートブロワノズルに水タンクの水を昇圧して供給する昇圧ポンプと、前記各水スートブロワノズルの近傍の母配管に接続して該母配管内の水に空気又は蒸気を供給して各水スートブロワノズルから水と空気又は水と蒸気の混合物を噴出するための空気又は蒸気の供給配管とを備えた水噴射式スートブロワ装置である。
【００１８】
請求項２記載の発明は、昇圧ポンプは、クラッチを介して動力源に接続した請求項１記載の水噴射式スートブロワ装置である。
【００１９】
請求項３記載の発明は、昇圧ポンプ接続部と水スートブロワノズル接続部との間の母配管に水スートブロワ元圧制御弁と母配管からの水を一時的に蓄えるアキュムレータと、母配管とアキュムレータとの間に設けた母配管からアキュムレータへ水を供給する供給配管と、アキュムレータから母配管へ水を戻す戻し配管と、前記供給配管と戻し配管にそれぞれ設けた供給逆止弁と戻し逆止弁とを備えた請求項１又は２記載の水噴射式スートブロワ装置である。
【００２０】
請求項４記載の発明は、請求項１ないし３のいずれかに記載のスートブロワ装置を、水スートブロワ起動時において水の噴流速度が充分確立されるまでの間、水を粉砕状態にして、水スートブロワノズルが対向する火炉の壁面に直接噴霧水が到達しないように水スートブロワノズルからの噴出水と共に空気又は蒸気を噴出させる水噴射式スートブロワ装置の運用方法である。
【００２１】
請求項５記載の発明は、昇圧ポンプは、クラッチの入・切により、その起動と停止を行う請求項４記載の水噴射式スートブロワ装置の運用方法である。
【００２２】
請求項６記載の発明は、アキュムレータへの水供給系統を設け、水スートブロワ元圧制御弁の圧力設定を水スートブロワ起動時に高めに設定し、アキュムレータへの水供給とアキュムレータから母配管への水の戻り量の調節によりスートブロワノズル近傍までの水の流れを確保する請求項４又は５記載の水噴射式スートブロワ装置の運用方法である。
【００２３】
（作用）
請求項１又は４記載の発明によれば、スートブロワ起動（水噴霧）初期の圧力とスートブロワ用の母配管２内の水の移動エネルギー不足から水スートブロワノズルからの水のたれ落ちが発生しないように、スートブロワ起動（水噴霧）初期には空気又は蒸気供給配管から空気又は蒸気を母配管に供給して、水スートブロワノズルから噴出される水を噴霧化する。
【００２４】
噴霧化された水は、火炉内の熱で蒸発し、水スートブロワノズルが設置された水壁（側壁）に対向した火炉水壁（側壁）及びバーナに到達することなく蒸発するため、燃焼特性など影響は出ない。また、スートブロワ起動（水噴霧）初期にはスートブロワ水の噴霧化ができるので、スートブロワ水の昇圧・流れ確保時間に余裕ができる。
【００２５】
こうして、昇圧ポンプを常に運転してスートブロワ水の圧力を確保しておく必要が無く、水スートブロワノズル廻りの水の流れエネルギー確保がスートブロワの初期動作時に不十分であっても対応が可能となる。  
請求項２又は５記載の発明によれば、請求項１又は４記載の発明の作用に加えて昇圧ポンプ起動初期の圧力の立ち上がりの遅れが許容できることより、クラッチを介してモータなどの動力源を使用し、昇圧ポンプを高頻度で起動と停止を繰り返すことができ、同時に動力源自身は高頻度の起動・停止が不要となる。
【００２６】
請求項３又は６記載の発明によれば、請求項１又は４、５記載の発明の作用に加えて母配管からアキュムレータへ水を供給する供給配管と戻し配管にそれぞれ供給逆止弁と戻し逆止弁とを設けているので、昇圧ポンプ起動後の水スートブロワノズル近傍の母配管の水の流れを確保することができ、スートブロワ動作時の水の流れによる動圧効果を有効利用することができる。すなわち、水スートブロワ元圧制御弁が開いた時点で水は逆支弁を通りアキュムレータに供給され、次いで圧力が規定値に達するとアキュムレータへの水循環流はなくなる。しかし前記アキュムレータへの水循環流が存在する状態で（そのためには元圧制御弁の設定圧を起動時に少し高めに設定する）、ノズルからの水スートブロワを開始すると、一時的な元圧制御弁の制御遅れなどにより母配管内の圧力低下があっても、アキュムレータ内の水が戻り逆止弁を通って母配管内に流れ込み配管内の圧力を確保することができる。
【発明の効果】
【００２７】
請求項１又は４記載の発明によれば、スートブロワ起動（水噴霧）初期の圧力とスートブロワ用の母配管内の水の移動エネルギー不足により生じる可能性のある水スートブロワノズルからの水のたれ落ちを防止し、また水スートブロワノズルからの噴出水は火炉水壁（側壁）及びバーナに到達する前に蒸発するため、バーナの安定燃焼性が得られる。また、請求項１又は４記載の発明によれば、水の粉砕用の空気又は蒸気供給配管が必要であるが、ボイラにはほとんどの場所に空気又は蒸気供給配管が設置されており、配管施工上は短くできるし、高圧空気製造単価は昇圧ポンプを簡潔運転にすることができるため連続運転する場合に比較して少なくて良い。
【００２８】
請求項２又は５記載の発明によれば、請求項１又は４記載の発明の効果に加えて昇圧ポンプの高頻度の起動と停止が可能となり、同時に動力源自身は高頻度の起動・停止が不要となり、動力源の長寿命化を図ることができる。
【００２９】
請求項３又は６記載の発明によれば、請求項１又は４記載の発明の効果に加えて母配管とアキュムレータの間にある水循環系により、昇圧ポンプ起動後のスートブロワノズル近傍の母配管の水の流れの確保とその後の水スートブロワ装置の安定した運転が可能となる。
【発明を実施するための最良の形態】
【００３０】
本発明の実施例について図面と共に説明する。  
図１に本実施例になる水噴射式のスートブロワ系統構成を示す。  
水タンク１内の水は母配管２に設けられた送水ポンプ３によって昇圧され、母配管２から分岐した水スートブロワ以外の設備へ連絡管５から送られるが、主要部は昇圧ポンプ４ａ，４ｂ（１台は予備）により昇圧されて、母配管２の先端に設けられた水スートブロワノズル６ａ，６ｂから噴霧される。
【００３１】
連絡管５への分岐部と水スートブロワノズル６ａ，６ｂとの間の母配管２から分岐した並列配置される２つの並列配管２ａ，２ｂに約２００ｋＷ程度の電源容量の昇圧ポンプ４ａ，４ｂが配置される。また、各ポンプ４ａ，４ｂはそれぞれクラッチ機構７ａ，７ｂを有するモータ９ａ，９ｂで駆動される。各ポンプ４ａ，４ｂの下流部の並列配管２ａ，２ｂにはそれぞれ逆止弁１０ａ，１０ｂが設けられており、その下流部で並列配管２ａ，２ｂが合流して再び１本の母配管２となる。  
合流して１本となった母配管２には水スートブロワ元圧制御弁１１と逆止弁１２が接続している。また逆止弁１２の下流側の母配管２にはアキュムレータ１５がアキュムレータ供給逆止弁１６とアキュムレータ戻り逆止弁１７を介して接続しており、さらに、その下流側には母配管２からそれぞれ水スートブロワ弁１９ａ，１９ｂを介して各水スートブロワノズル６ａ，６ｂが分岐して接続されている。
【００３２】
また、各水スートブロワノズル６ａ，６ｂには空気供給ライン２０ａ，２０ｂが空気供給元弁２１ａ，２１ｂを介して接続している。なお、水スートブロワ弁１９ａ，１９ｂ設置部の上流部の母配管２には圧力検出器２２が設けられている。
【００３３】
上記スートブロワ系統において、水タンク１には工業用水などの水が貯蓄され、水タンク１から母配管２に水が供給されるが、該母配管２に設置された送水ポンプ３により昇圧された後に各方面に分配使用される。その一部の水はそれぞれ水スートブロワの水源として母配管２から分岐した配管から水スートブロワノズル６に供給される。
【００３４】
また、水スートブロワはボイラ火炉の側壁（水壁）の中段以上のレベルに設置されるのが一般的で且つ、ノズル６の噴霧圧力は１５〜２０バール程度が必要とされている（必要噴霧距離により圧力は異なる）。
【００３５】
昇圧ポンプ４ａ，４ｂは、水スートブロワの必要周期に応じてクラッチ７ａ，７ｂの接続・断続操作を行う。代表例ではボイラの定格負荷状況においては、３０秒運転／８分停止を繰り返す運用パターンとなり、モータ９ａ，９ｂの起動と停止で制御することはモータ巻線が昇温するため、実施不可能であるが、クラッチ７ａ，７ｂの接続・断続操作で昇圧ポンプ４ａ，４ｂの動力のオンオフが可能なり、モータ９ａ，９ｂに負担がかからない。  
図１においては昇圧ポンプ４ａ，４ｂは２台構成の例を示すが、それ以上に台数を増やして、クラッチ７ａ，７ｂの動作負荷の低減を図ることも可能である。
【００３６】
水スートブロワノズル６にはポンプ４ａ，４ｂのいずれかのポンプで昇圧された圧縮空気を流し、水の流れの粉砕（噴霧）を可能としている。空気供給配管２０ａ，２０ｂの空気の流れを停止した場合には水スートブロワノズル６を通過する水の流れは線流となり、流が乱れることなく水スートブロワノズル６の水噴出方向に対向する位置にある水壁の目標部位に向かって噴出され、到達した水壁に付着した灰の除去が可能となる。
【００３７】
一方、水スートブロワノズル６の水噴霧初期に不足する水の噴出圧力低下を少しでも防止する目的でアキュムレータ１５を設置しているが、アキュムレータ１５は水スートブロワノズル６の起動前の水張り・昇圧時には、水スートブロワノズル６近傍の母配管２の内部流速を確立し、スートブロワの動作直後の圧力低下を極力防ぐ機能がある。
【００３８】
本来アキュムレータ１５自身を水スートブロワノズル６の近傍に設置すればよいが、（１）ボイラの中段以上にかなりの荷重を持った水タンク１を設置することは鉄骨設計などで不利となること及び（２）ある程度の配管長さの中に水の流れを確保することが、動圧の有効利用上有利であることより、比較的細い配管２４にアキュムレータ供給逆止弁１６を備え、且つ比較的太い配管２５にアキュムレータ戻り逆止弁１７を備えた水循環系統をアキュムレータ１５と母配管２の間に設けている。  
また、アキュムレータ１５を水スートブロワノズル６の近くに配置することが許されれば、アキュムレータ１５から一本の配管（図示せず）のみで各水スートブロワノズル６へ水を供給することが可能である。
【００３９】
上記図１に示す構成において、水スートブロワノズル６に空気供給配管２０ａ，２０ｂから空気を供給して、空気によりノズル６から噴出される水を噴霧化することで、ポンプ４ａ，４ｂの起動初期の圧力の立ち上がりの遅れによるノズル６からの水のたれ落ちを防止することができる。噴霧化された水は火炉内の熱で蒸発し、該ノズル６の設置水壁の対向水壁（側壁）及びバーナには到達しない間に蒸発するため、バーナを損傷させることがない。
【００４０】
また、スートブロワ水を空気で噴霧化することで昇圧ポンプ４ａ，４ｂの起動初期の圧力の立ち上がりの遅れに対応できるので、昇圧ポンプ４ａ，４ｂによる水の昇圧・流れ確保時間に余裕ができる。このため昇圧ポンプ４ａ，４ｂを常に運転して圧力を確保しておく必要が無くなり、クラッチ７ａ，７ｂを有するモータ９ａ，９ｂを使用することで、昇圧ポンプ４ａ，４ｂの高頻度の起動停止が可能となると同時に図２に示す従来技術のようにモータ９ａ，９ｂ自身を高頻度で起動停止する必要がなくなる。
【００４１】
また、スートブロワノズル６廻りの水の流れエネルギー確保が初期動作時に不十分であっても対応が可能となることから、ポンプ４ａ，４ｂの起動後の水スートブロワノズル６の近傍の母配管２内の水の流れを確保するためにアキュムレータ１５と母配管２の水循環系を構成する配管２４、２５にはそれぞれアキュムレータ供給逆止支弁１６とアキュムレータ戻り逆止弁１７を設置することができ、水スートブロワ元圧制御弁１１が開いた時点で水はアキュムレータ供給逆止弁１６を通り、アキュムレータ１５に供給される。次いで母配管２内の圧力が規定値に達すると水の流れは停止するが、流れが存在する状態で（そのためには元圧制御弁１１の設定圧を起動時に少し高めに設定する）水スートブロワを開始すると、一時的な元圧制御弁１１の制御遅れなどにより母配管２内の圧力が低下するが、アキュムレータ１５内の水が逆止弁１７を通過して母配管２内の圧力を確保するように動作する。
【００４２】
すなわち、従来の系統で設置されていた、図２におけるポンプ最低流量確保ライン３０を設ける必要がなくなり、且つスートブロワノズル６の近傍からの水循環戻りライン３１も削除できる。
【００４３】
本実施例で使用する水の粉砕用の空気は、ボイラの多くの箇所に設置されている空気供給配管と接続することができ、その配管施工長さも長くならない。また、従来技術では昇圧ポンプ４ａ，４ｂを連続運転する必要があったが、本実施例では大幅な簡欠運転が可能となるので、高圧空気製造費用も節約できる。
【００４４】
本発明の実施例ではこれらの構成ではなく、水スートブロワノズル６の近傍までの母配管２内の水の流速確保（スートブロワ前）をアキュムレータ１５の機能を利用し、且つ昇圧設定を動作圧以上とし、アキュムレータ１５への水張り流れを確保している状態で水スートブロワノズル６を動作させ、ノズル６からの水のたれ時間の最小化を図っている。
【００４５】
図１に示す空気供給配管２０ａ，２０ｂの代わりにボイラ蒸気（たとえば補助蒸気の一部又はタービン抽気など）を使用することも可能である。  
また、図１に示すモータ９ａ，９ｂの代わりに２００馬力程度のエンジンを使用し、スートブロワ非動作時の動力低減を図ることも可能である。空気による水の粉砕必要時間は長くなるがアキュムレータ１５を設置しないでもスートブロワ系統を作動させることはできる。
【産業上の利用可能性】
【００４６】
本発明は、ボイラ火炉の壁面の付着灰の除去に効果的に利用可能である。
【図面の簡単な説明】
【００４７】
【図１】本発明の水スートブロワシステムの代表的系統構成図である。
【図２】従来技術の水スートブロワシステムの代表的系統構成図である。
【図３】水スートブロワシステムが適用される石炭焚きボイラの火炉の展開図と代表的バーナ（対向燃焼方式）・水スートブロワ配置を示す図である。
【図４】水スートブロワ起動時と通常運転時の水噴射プロフィールの変化を示す図である。
【符号の説明】
【００４８】
１  水タンク                        ２  母配管
２ａ，２ｂ  並列配管                ３  送水ポンプ
４ａ，４ｂ  昇圧ポンプ              ５  連絡管
６ａ，６ｂ  水スートブロワノズル    ７ａ，７ｂ  クラッチ機構
９ａ，９ｂ  モータ                  １０ａ，１０ｂ  逆止弁
１１  水スートブロワ元圧制御弁      １２  逆止弁
１５  アキュムレータ                １６  アキュムレータ供給逆止弁
１７  アキュムレータ戻り逆止弁      １９ａ，１９ｂ  水スートブロワ弁
２０ａ，２０ｂ  空気供給ライン      ２１ａ，２１ｂ  空気供給元弁
２２  圧力検出器                    ２４，２５  配管
３０  戻り配管                      ３１  水循環戻り配管
３２  戻り弁                        ３５  バーナ
【図１】
2006183914.tif 000003
【図２】
2006183914.tif 000004
【図３】
2006183914.tif 000005
【図４】
2006183914.tif 000006